(57)【要約】【課題】壁高が高く、安定性の高い、ハニカム状立体補強材を利用した擁壁を構築する方法を提供することである。またハニカム状立体補強材を利用した急峻な勾配の擁壁を構築する方法を提供することである。【解決手段】ハニカム構造体とそのすぐ上に積層されるハニカム構造体との２層を杭によって結合させることを特徴とする擁壁の構築方法。擁壁下部の地山と、そのすぐ上に積層されるハニカム構造体とを杭によって結合させることを特徴とする擁壁の構築方法。【選択図】図８
2008082093.tif 000002
【特許請求の範囲】
【請求項１】
板状または網状の高分子材料をはちの巣構造にしたハニカム状立体補強材に、土砂・砕石等を充填したハニカム構造体を水平に複数層積層して構築する擁壁において、ハニカム構造体とそのすぐ上に積層されるハニカム構造体との２層を杭によって結合させることを特徴とする擁壁の構築方法。
【請求項２】
擁壁天端を構成するハニカム構造体を除く各ハニカム構造体の上面部に杭を途中まで打ち、その上に次層のハニカム構造体を積層することを特徴とする請求項１記載の擁壁の構築方法。
【請求項３】
地山よりハニカム構造体を２層積層後に２層目の上面部分からハニカム構造体１層分の高さよりも長い杭を打ち込み、さらにハニカム構造体を１層積層するごとにハニカム構造体１層分の高さよりも長い杭を順次打ち込んでゆくことを特徴とする請求項１または２のいずれかに記載の擁壁の構築方法。
【請求項４】
ハニカム構造体を少なくとも３層以上積層後、その最上層のハニカム構造体の上面から、少なくとも３層以上のハニカム構造体を貫くように杭を打ち込むことを特徴とする請求項１から３のいずれかに記載の擁壁の構築方法。
【請求項５】
擁壁下部の地山と、そのすぐ上に構築されるハニカム構造体とを杭によって結合させることを特徴とする請求項１から４のいずれかに記載の擁壁の構築方法。
【請求項６】
ハニカム構造体を構築する前に、地山に杭を途中まで打ち、その上にハニカム構造体を構築することを特徴とする請求項１から５のいずれかに記載の擁壁の構築方法。
【請求項７】
地山よりハニカム構造体を１層構築後に１層目の上面部分からハニカム構造体１層分の高さよりも長い杭を打ち込むことを特徴とする請求項１から６のいずれかに記載の擁壁の構築方法。
【請求項８】
打ち込まれる杭の長さが、ハニカム構造体の高さの少なくとも３倍以上で、かつ杭を打ち込む位置から地山までの垂直距離よりも長いことを特徴とする請求項１から７のいずれかに記載の擁壁の構築方法。
【請求項９】
請求項１から８のいずれかに記載の構築方法で構築した擁壁。
【発明の詳細な説明】
【技術分野】
【０００１】
本発明は板状や網状の高分子材料をはちの巣構造にしたハニカム状立体補強材に、土砂・砕石等を充填したハニカム構造体を水平に複数層積層して構築する擁壁の構築方法に関する。また前述のハニカム構造体と杭を組み合わせて、ハニカム構造体の各層間に一体性をもたせた擁壁の構築方法に関する。
【背景技術】
【０００２】
以前より板状や網状の高分子材料をはちの巣構造にしたハニカム状立体補強材は知られており、このハニカム状立体補強材は土砂・砕石等を充填して（以下、ハニカム状立体補強材に土砂・砕石等を充填した構造体を「ハニカム構造体」と称す）地盤の補強材、道路の路盤材、歩道の基礎材、仮設道路、擁壁の資材に利用されてきた。
【０００３】
さらに、ハニカム構造体を一定の高さまで複数層積層し擁壁として使用した構造体（以下、「ハニカム擁壁」と称す）もよく知られている（「特許文献１」、「非特許文献１」の「１１９ページ」）。また、下部のハニカム構造体に対して、その上に載せるハニカム構造体を下部よりも地山側に後退させることにより、階段状にハニカム構造体を形成して階段状の法面を作ることができる。その際、後退幅を調節することにより、構築する法面の勾配を調整することができる。
【０００４】
しかしハニカム構造体のみを用いて擁壁を構築する際には、あまり壁高の高い擁壁を構築することができなかった。なぜなら上下のハニカム構造体との間には結合要素が土の摩擦力のみしかなく、背面土圧や法面方向への力に対して強く対抗できず、ハニカム擁壁構造の一体性が弱かったからである。
【０００５】
さらにハニカム擁壁は地山の上に載っているにすぎず、地山とハニカム擁壁の間の安定性は土の摩擦力のみに依存していた。そのため擁壁の壁高を高くするとハニカム擁壁の安定性に問題があった。さらにハニカム擁壁の安定性に問題があったために、壁高を高くした場合にはハニカム擁壁の勾配を急峻にすることができなかった。
【０００６】
これらの問題を解決するために、「非特許文献２」の「１１９ページ、図−４．９  ジオシンセティックを用いる方法  （ｏ）」のようにハニカム擁壁とジオグリッドを併用して壁高の高い擁壁を施工する施工方法も考案された。この方法はハニカム擁壁を法面側に用い、その背後の地山方向にジオグリッドを敷設していく、というものである。ハニカム擁壁とジオグリッドを併用することにより、ハニカム擁壁にジオグリッドによるアンカー効果を付与し、また背面土圧をジオグリッドが引き受けることによりハニカム擁壁そのものにかかる土圧を軽減できる、というメリットがあった。
【０００７】
しかしハニカム擁壁とジオグリッドを併用する工法を用いると、ハニカム擁壁の背面にジオグリッドを敷設するスペースを確保するため、背面の地山をより多く掘削しなければならなかった。そのため、背面の地山を掘削できないなど、ジオグリッドを敷設するスペースを確保できないような場所にはこの工法を利用できず、このような場所においてはハニカム擁壁による壁高の高い擁壁を構築することは諦めなければならなかった。
【０００８】
【特許文献１】実用新案第２５８２２６７号公報
【非特許文献１】「基礎工  １９９６年１２月号」  総合土木研究所刊  １１９ページ
【非特許文献２】地盤工学会編  「補強土入門」社団法人地盤工学会  １９９９年
【発明の開示】
【発明が解決しようとする課題】
【０００９】
本発明の目的は、壁高が高く、安定性の高い、ハニカム状立体補強材を利用した擁壁を構築する方法を提供することである。またハニカム状立体補強材を利用した急峻な勾配の擁壁を構築する方法を提供することである。
【課題を解決するための手段】
【００１０】
本発明はこの課題を解決するためになされたものであり、請求項１記載の発明は、板状または網状の高分子材料をはちの巣構造にしたハニカム状立体補強材に、土砂・砕石等を充填したハニカム構造体を水平に複数層積層して構築する擁壁において、ハニカム構造体とそのすぐ上に積層されるハニカム構造体との２層を杭によって結合させることを特徴とする擁壁の構築方法である。
【００１１】
ハニカム構造体とそのすぐ上に積層されるハニカム構造体の間に杭を使って両層の橋渡しすることにより、各ハニカム構造体の間に今までになかった一体性を持たせることができる。
【００１２】
また、請求項２記載の発明は、擁壁天端を構成するハニカム構造体を除く各ハニカム構造体の上面部に杭を途中まで打ち、その上に次層のハニカム構造体を積層することを特徴とする請求項１記載の擁壁の構築方法である。
【００１３】
また、請求項３記載の発明は、地山よりハニカム構造体を２層積層後に２層目の上面部分からハニカム構造体１層分の高さよりも長い杭を打ち込み、さらにハニカム構造体を１層積層するごとにハニカム構造体１層分の高さよりも長い杭を順次打ち込んでゆくことを特徴とする請求項１または２のいずれかに記載の擁壁の構築方法である。
【００１４】
また、請求項４記載の発明は、請求項１から３のいずれかに記載の擁壁の構築方法において、ハニカム構造体を少なくとも３層以上積層後、その最上層のハニカム構造体の上面から、少なくとも３層以上のハニカム構造体を貫くように杭を打ち込むことを特徴とする擁壁の構築方法である。
【００１５】
また、請求項５記載の発明は、擁壁下部の地山と、そのすぐ上に構築されるハニカム構造体とを杭によって結合させることを特徴とする請求項１から４のいずれかに記載の擁壁の構築方法ある。
【００１６】
また、請求項６記載の発明は、ハニカム構造体を構築する前に、地山に杭を途中まで打ち、その上にハニカム構造体を構築することを特徴とする請求項１から５のいずれかに記載の擁壁の構築方法である。
【００１７】
また、請求項７記載の発明は、地山よりハニカム構造体を１層構築後に１層目の上面部分からハニカム構造体１層分の高さよりも長い杭を打ち込むことを特徴とする請求項１から６のいずれかに記載の擁壁の構築方法である。
【００１８】
また、請求項８記載の発明は、打ち込まれる杭の長さが、ハニカム構造体の高さの少なくとも３倍以上で、かつ杭を打ち込む位置から地山までの垂直距離よりも長いことを特徴とする請求項１から７のいずれかに記載の擁壁の構築方法である。
【００１９】
また、請求項９記載の発明は、請求項１から８のいずれかに記載の構築方法で構築した擁壁である。
【発明の効果】
【００２０】
本発明によるハニカム構造体とそのすぐ上に構築されるハニカム構造体とを杭によって結合させることにより、今までよりも安定性の高いハニカム擁壁を構築することができる。
【００２１】
またさらに上記ハニカム擁壁で、地山とハニカム構造体とを杭によって結合させることにより、上記ハニカム擁壁よりさらに安定性の高いハニカム擁壁を構築することができる。
【００２２】
安定性の高いハニカム擁壁を構築できることにより、壁高の高いハニカム擁壁を構築することが可能である。
【００２３】
また、安定性の高いハニカム擁壁を構築できることにより、急峻な勾配のハニカム擁壁を構築することが可能である。急峻な勾配の擁壁をつくることで、擁壁の施工範囲を小さくすることができる。
【発明を実施するための最良の形態】
【００２４】
図１は、この発明の擁壁に利用するハニカム状立体補強材１の展張前の斜視図である。ハニカム状立体補強材１は、複数枚の高密度ポリエチレンのストリップ材２を一定間隔の結合部位３にて結合したものである。このハニカム状立体補強材１は展張方向４に展張してハニカム状のセル構造を形成する。
【００２５】
図２は、展張した後のハニカム状立体補強材１の斜視図である。ハニカム状立体補強材１を展張すると、ハニカム状のセル５が形成される。セル５内に土砂・砕石等６を充填して締め固めを行うことにより、剛性のあるハニカム構造体を形成させる。
【００２６】
図３はハニカム構造体７を積み上げた際の斜視図である。図２のハニカム構造体７を積み重ねて施工することにより、図３のハニカム擁壁を形成する。積み重ねは法面側のハニカム構造体端部を積み重ねるたびに各層ごとに後退させることによりステップを形成し、その後退の度合いに応じて、様々な法面勾配を形成することができる。
【００２７】
図４は、本発明を利用したハニカム構造体を積層する過程を示したハニカム擁壁（事例１）の斜視図である。ハニカム擁壁はハニカム構造体７を積み重ねて構築される。ハニカム構造体７を形成するたびに、杭（ａ）８を打設してゆく。杭（ａ）８は杭の全長の半分程度がハニカム構造体に食い込まれ、杭（ａ）８の上部半分程度がハニカム構造体の上面部分から突起状に露出した状態のままその上部にハニカム構造体をさらに積層することで、上下ハニカム構造体に結合関係を生み出すことができる。なお図４の杭（ａ）８は、上部斜線部を上部ハニカム構造体にかかる部分をあらわし、杭（ａ）８の下部は下部ハニカム構造体に食い込んでいる部分をあらわす。
【００２８】
図５は、本発明を利用した際のハニカム構造体を積層する過程を示したハニカム擁壁（事例１）の断面図である。本図は１層目のハニカム構造体７を構築した段階を示している。１層目のハニカム構造体構築後に、そのハニカム構造体７の上面部に杭（ａ）８を打ち込む。杭（ａ）８は杭の全長の半分程度が１層目のハニカム構造体７に食い込まれ、杭（ａ）８の上部半分程度が１層目のハニカム構造体７の上面部分から突起状に露出した状態のままにする。
【００２９】
図６は、本発明を利用した際のハニカム構造体を積層する過程を示したハニカム擁壁（事例１）の断面図である。本図は２層目のハニカム構造体７を積層した段階を示している。杭（ａ）８の上部半分程度が１層目のハニカム構造体７の上面部分から突起状に露出した状態のところに、２層目のハニカム構造体７を積層する。２層目のハニカム構造体７の上面部に、同様に杭（ａ）８を打ち込む。２層目以降は同じ作業を繰り返し、ハニカム擁壁を構築する。
【００３０】
図７は、本発明を利用した際のハニカム擁壁（事例１）の完成時の断面図である。ハニカム擁壁天端のハニカム構造体７の上面部には杭は打設しない。
【００３１】
図８は、本発明を利用した際の、杭によってハニカム構造体と地山との間で結合性を持たせた場合のハニカム擁壁（事例１）の断面図である。ハニカム擁壁の最下層のハニカム構造体を構築する前に、地山に杭を打設することによりハニカム構造体と地山に結合関係を持たせる。杭（ａ）８は前述と同様、杭の全長の半分程度が下部の地山に食い込まれ、杭（ａ）８の上部半分程度が地山の上面部分から突起状に露出した状態のまま、その上部にハニカム構造体を構築することで、地山１１とハニカム構造体７に結合関係を生み出すことができる。また、切土面１２に杭（ａ）８を食い込ませることで、さらに安定性の高いハニカム擁壁を構築できる。
【００３２】
図９は、本発明を利用した際のハニカム構造体を積層する過程を示したハニカム擁壁（事例２）の断面図である。本図は２層目のハニカム構造体７を積層した段階を示している。この方法では、最下層からハニカム構造体７を２層積層し、その２層目のハニカム構造体７の上面部からハニカム構造体の高さよりも長い杭（ｂ）９を打ち込み、上下のハニカム構造体７に結合関係を持たせる。杭（ｂ）９はハニカム構造体２層にまたがっていればよい。
【００３３】
図１０は、本発明を利用した際のハニカム構造体を積層する過程を示したハニカム擁壁（事例２）の断面図である。本図は３層目のハニカム構造体７を積層した段階を示している。２層目以降は、１層ハニカム構造体を積層するごとにハニカム構造体７の高さよりも長い杭を打ち込み、その工程をハニカム擁壁の天端まで繰り返して、本発明のハニカム擁壁を構築する。
【００３４】
図１１は、本発明を利用した際のハニカム擁壁（事例２）の完成時の断面図である。この方法による場合は、ハニカム擁壁天端のハニカム構造体７の上面部にも杭を打設する。
【００３５】
図１２は、本発明を利用した際の、杭によってハニカム構造体と地山との間で結合性を持たせた場合のハニカム擁壁（事例２）の断面図である。最下層から１層目のハニカム構造体７の上面部からハニカム構造体の高さよりも長い杭（ｂ）９を打ち込み、最下層のハニカム構造体７と地山に結合関係を持たせる。杭（ｂ）９は１層目のハニカム構造体を貫き、地山に食い込んでいればよい。また、切土面１２に杭（ｂ）９を食い込ませることで、さらに安定性の高いハニカム擁壁を構築できる。
【００３６】
図１３は、事例１の方法によるハニカム擁壁の構築方法に、ハニカム構造体を少なくとも３層以上積層後、その最上層のハニカム構造体の上面から、少なくとも３層以上のハニカム構造体を貫くように杭（ｃ）１０を打ち込む擁壁の構築方法を併用したハニカム擁壁（事例３）の断面図である。
【００３７】
図１４は、事例２の方法によるハニカム擁壁の構築方法に、ハニカム構造体を少なくとも３層以上積層後、その最上層のハニカム構造体の上面から、少なくとも３層以上のハニカム構造体を貫くように杭（ｃ）１０を打ち込む擁壁の構築方法を併用したハニカム擁壁（事例４）の断面図である。
【００３８】
事例１から事例４までのいずれの工法もそれぞれ単独に用いても良いし、おのおのの工法を組み合わせて複合的な工法として用いても良い。
【００３９】
杭（ａ）（ｂ）（ｃ）は長いほうがよい。杭（ａ）はハニカム構造体７の高さと同程度の長さが好適である。杭（ｂ）はハニカム構造体７の高さの１．５倍程度が好適である。杭（ｃ）はハニカム構造体の高さの３倍以上の長さが好適である。また打ち込む杭の数も多い方が望ましいが、多すぎると既に敷設されたハニカム状立体補強材を損傷する恐れがある。
【００４０】
杭の種類は、異型鉄筋やアンカーピン、コンクリート杭、鋼管杭、Ｈ鋼、木杭など様々なものを用いることができる。特に杭（ａ）（ｂ）は異型鉄筋やアンカーピンが好適である。杭（ｃ）は、鋼鉄製の異型鉄筋やアンカーピン、鋼管杭が好適である。太い方がよいが、太すぎると杭打ちの際に既に敷設されたハニカム状立体補強材を巻き込む恐れがあるため、もっとも太くても直径１０センチメートルを超えない程度がよい。また杭の形状は中空であっても良い。
【００４１】
杭の材質は、金属や樹脂、コンクリート、木などがあげられるが、腐食したり腐敗したりしない材料がよい。また打設方法は、打撃法、ドリルによる方法、場所打ち杭などが上げられるが、どの方法を用いても良い。特に杭（ａ）（ｂ）はハンマー等による打撃法が好適である。
【産業上の利用可能性】
【００４２】
本発明の擁壁の構築方法を用いることで、板状または網状の高分子材料をはちの巣構造にしたハニカム状立体補強材に土砂・砕石等を充填したハニカム構造体を水平に複数層積層して構築する擁壁において、安定性が高く、勾配の急峻で、壁高の高い構造物を構築することに利用できる。
【図面の簡単な説明】
【００４３】
【図１】本発明に使用するハニカム状立体補強材の展張前の斜視図である。
【図２】本発明に使用するハニカム状立体補強材の展張時の斜視図である。
【図３】本発明に使用するハニカム構造体を積み上げた際の斜視図である。
【図４】本発明の杭を打ちながらハニカム構造体を積層した際の斜視図である。
【図５】本発明の１層目のハニカム構造体を構築した際の断面図である（事例１）。
【図６】本発明の２層目のハニカム構造体を積層した際の断面図である（事例１）。
【図７】本発明の杭を打ち込んだハニカム擁壁（事例１）の完成時の断面図である。
【図８】本発明の地山に杭を打ち込んだハニカム擁壁（事例１）の完成時の断面図である。
【図９】本発明の２層目のハニカム構造体を積層した際の断面図である（事例２）。
【図１０】本発明の３層目のハニカム構造体を積層した際の断面図である（事例２）。
【図１１】本発明の杭を打ち込んだハニカム擁壁（事例２）の完成時の断面図である。
【図１２】本発明の地山に杭を打ち込んだハニカム擁壁（事例２）の完成時の断面図である。
【図１３】本発明の事例１と杭（ｃ）とを併用したハニカム擁壁（事例３）の完成時の断面図である。
【図１４】本発明の事例２と杭（ｃ）とを併用したハニカム擁壁（事例４）の完成時の断面図である。
【符号の説明】
【００４４】
１    ハニカム状立体補強材
２    ストリップ材
３    結合部位
４    展帳方向
５    セル
６    土砂・砕石等
７    ハニカム構造体
８    杭（ａ）
９    杭（ｂ）
１０    杭（ｃ）
１１    地山層
１２    切土面
【図１】
2008082093.tif 000003
【図２】
2008082093.tif 000004
【図３】
2008082093.tif 000005
【図４】
2008082093.tif 000006
【図５】
2008082093.tif 000007
【図６】
2008082093.tif 000008
【図７】
2008082093.tif 000009
【図８】
2008082093.tif 000010
【図９】
2008082093.tif 000011
【図１０】
2008082093.tif 000012
【図１１】
2008082093.tif 000013
【図１２】
2008082093.tif 000014
【図１３】
2008082093.tif 000015
【図１４】
2008082093.tif 000016